【手続補正書】
【提出日】平成20年1月15日(2008.1.15)
【手続補正１】
【補正対象書類名】明細書
【補正対象項目名】全文
【補正方法】変更
【補正の内容】
【書類名】  明細書
【発明の名称】  食器洗い機
【特許請求の範囲】
【請求項１】  上方に開口部を有し食器類を収容する洗浄槽と、この洗浄槽を前後方向へ移動可能に支持する外箱と、上方に前記外箱を固定し支持する支持台とを備え、前記支持台の内部に空間部を設けた食器洗い機。
【請求項２】  洗浄槽内へ給水する給水用配管を給水管に接続する給水用配管接続部と、洗浄槽内の水を排水する排水用配管を排水管に接続する排水用配管接続部とを備え、前記給水用配管接続部と排水用配管接続部のうち少なくとも一方を空間部内に配した請求項１記載の食器洗い機。
【請求項３】  空間部内に溢水検知手段を設け、かつ外箱と空間部とを連通した請求項１または２記載の食器洗い機。
【請求項４】  上方に開口部を有し食器類を収容する洗浄槽と、この洗浄槽を前後方向へ移動可能に支持する外箱とを備え、前記外箱内の前記洗浄槽の下方に空間部を設けた食器洗い機。
【請求項５】  洗浄槽内へ給水する給水用配管を給水管に接続する給水用配管接続部と、洗浄槽内の水を排水する排水用配管を排水管に接続する排水用配管接続部とを備え、前記給水用配管接続部と排水用配管接続部のうち少なくとも一方を空間部内に配した請求項４記載の食器洗い機。
【請求項６】  空間部内に溢水検知手段を設けた請求項４または５記載の食器洗い機。
【請求項７】  空間部内に収納スペースを設けた請求項１〜６のいずれか１項に記載の食器洗い機。
【発明の詳細な説明】
【０００１】
【発明の属する技術分野】
本発明は、外箱より洗浄槽を前方へ引き出して食器類を出し入れし、洗浄する食器洗い機に関する。
【０００２】
【従来の技術】
近年、システムキッチンに食器洗い機を内蔵し使用するビルトイン型食器洗い機が主流となっている。
【０００３】
従来、この種の食器洗い機は図３に示すように構成していた。以下、その構成について説明する。
【０００４】
図３に示すように、外箱１は前方に開口部を有するとともに、レール２を介して、上方が開口した洗浄槽３を前後方向に移動可能に支持している。洗浄槽３内には洗浄水を噴射する洗浄ノズル４を回転自在に設けるとともに、食器類５を収容する食器かご６を配置している。
【０００５】
また、洗浄槽３には洗浄槽３内へ給水する給水用配管７と洗浄槽３内の水を機外へ排水する排水用配管８とを設けており、施工時にキッチン９側に事前に配管された給水管１０および排水管１１にそれぞれ接続している。また、外箱１の底部には水溜部１２および溢水検知スイッチ１３を設けており、洗浄槽３等より水漏れを起こした場合に水漏れを検知し、運転を停止することで水漏れによるキッチン９への被害を防止している。
【０００６】
このように構成した食器洗い機本体１４は、キッチン９に設置したキャビネット１５上に設置しており、キャビネット１５に収納スペースを設けるための引き出し１６を設けている。
【０００７】
【発明が解決しようとする課題】
このような従来の食器洗い機においては、食器洗い機本体１４をキッチン９に設置するために、別部材として食器洗い機本体１４を支持するキャビネット１５が必要で、このキャビネット１５はキッチン９に設置したものであるため、食器洗い機本体１４との一体感を持たせにくく、また、引き出し１５等の収納スペースを設けるためにキャビネット１４自体が複雑かつ高価な構成となる。
【０００８】
また、食器洗い機本体１４をキッチン９に設置する際、給水用配管７と給水管１０との配管接続および排水用配管８と排水管１１との配管接続を食器洗い機本体およびキャビネット１４の背面にて行う必要がある。この場合、給水用配管７と給水管１０の接続、および排水用配管８と排水管１１の接続をそれぞれ行った後に食器洗い機をキッチン９内へ挿入することになるため、給水用配管７および排水用配管８のねじれや折れ等が起こる恐れがある。
【０００９】
また、給水用配管７の給水用配管接続部７ａおよび排水用配管８の排水用配管接続部８ａで水漏れが起こった場合に、外箱１の底部に設けた溢水検知スイッチ１３では水漏れを検知することができないため、水漏れによるキッチン９への被害が拡がってしまう。
【００１０】
本発明は上記課題を解決するもので、キッチンに設置する際に、別部材として食器洗い機本体を支持するキャビネットを必要とせず、設置性を向上するとともに、構成を簡単にして廉価にすることを目的としている。
【００１１】
【課題を解決するための手段】
本発明は上記目的を達成するために、上方に開口部を有し食器類を収容する洗浄槽を外箱内に前後方向へ移動可能に支持し、支持台の上方に外箱を固定して支持するよう構成し、支持台の内部に空間部を設けたものである。
【００１２】
これにより、キッチンに設置する際に、別部材として食器洗い機本体を支持するキャビネットを必要とせず、設置性を向上できるとともに、洗浄槽の下方に収納スペースを備えた空間部を設けることができるため、より簡単な構成で、廉価にすることができる。
【００１３】
【発明の実施の形態】
本発明の請求項１に記載の発明は、上方に開口部を有し食器類を収容する洗浄槽と、この洗浄槽を前後方向へ移動可能に支持する外箱と、上方に前記外箱を固定し支持する支持台とを備え、前記支持台の内部に空間部を設けたものであり、支持台により外箱を支持した状態でキッチンに設置したとき、所定の高さになるように支持台の高さを設定することで、キッチンに設置する際に、別部材として食器洗い機本体を支持するキャビネットを必要とせず、設置性を向上できるとともに、洗浄槽の下方に収納スペースを備えた空間部を設けることができるため、より簡単な構成で、廉価にすることができる。
【００１４】
請求項２に記載の発明は、上記請求項１に記載の発明において、洗浄槽内へ給水する給水用配管を給水管に接続する給水用配管接続部と、洗浄槽内の水を排水する排水用配管を排水管に接続する排水用配管接続部とを備え、前記給水用配管接続部と排水用配管接続部のうち少なくとも一方を空間部内に配したものであり、給水用配管と給水管との接続と排水用配管と排水管との接続の少なくとも一方を空間部内でできるため、食器洗い機本体をキッチン内へ挿入するとき、給水用配管や排水用配管のねじれや折れを防止することができ、より信頼性の高い設置を行うことができる。
【００１５】
請求項３に記載の発明は、上記請求項１または２に記載の発明において、空間部内に溢水検知手段を設け、かつ外箱と空間部とを連通したものであり、洗浄槽からの水漏れだけでなく、給水用配管接続部または排水用配管接続部で水漏れが起こった場合にも検知することができ、水漏れによるキッチンへの被害を防止することができる。
【００１６】
請求項４に記載の発明は、上方に開口部を有し食器類を収容する洗浄槽と、この洗浄槽を前後方向へ移動可能に支持する外箱とを備え、前記外箱内の前記洗浄槽の下方に空間部を設けたものであり、キッチンに設置したとき、所定の高さになるように外箱の高さを設定することで、キッチンに設置する際に、別部材として食器洗い機本体を支持するキャビネットを必要とせず、設置性を向上できるとともに、洗浄槽の下方に収納スペースを備えた空間部を設けることができるため、より簡単な構成で、廉価にすることができる。
【００１７】
請求項５に記載の発明は、上記請求項４に記載の発明において、洗浄槽内へ給水する給水用配管を給水管に接続する給水用配管接続部と、洗浄槽内の水を排水する排水用配管を排水管に接続する排水用配管接続部とを備え、前記給水用配管接続部と排水用配管接続部のうち少なくとも一方を空間部内に配したものであり、給水用配管と給水管との接続と排水用配管と排水管との接続の少なくとも一方を空間部内でできるため、食器洗い機本体をキッチン内へ挿入するとき、給水用配管や排水用配管のねじれや折れを防止することができ、より信頼性の高い設置を行うことができる。
【００１８】
請求項６に記載の発明は、上記請求項４または５に記載の発明において、空間部内に溢水検知手段を設けたものであり、洗浄槽からの水漏れだけでなく、給水用配管接続部または排水用配管接続部で水漏れが起こった場合にも検知することができ、水漏れによるキッチンへの被害を防止することができる。
【００１９】
請求項７に記載の発明は、上記請求項１〜６に記載の発明において、空間部内に収納スペースを設けたものであり、別部材としてキャビネットを必要とせずに空間部に収納スペースを設けることができるため、より簡単な構成で、廉価にすることができる。
【００２０】
【実施例】
以下、本発明の実施例について、図面を参照しながら説明する。なお、従来例と同じ構成のものは同一符号を付して説明を省略する。
【００２１】
（実施例１）
図１に示すように、外箱１７は前方に開口部を有するとともに、レール２を介して、上方が開口した洗浄槽３を前後方向に移動可能に支持している。外箱１７の下部にはその外箱１７を支持する支持台１８を設けており、外箱１７と支持台１８はボルトナット１８ａで締結され、固定されている。ここで、支持台１８の高さは、支持台１８により外箱１７を支持した状態でキッチン９に設置したとき、所定の高さになるように設定している。支持台１８は内部に空間部１９を有するとともに前方開口部１９ａおよび後方開口部１９ｂを有している。
【００２２】
また、洗浄槽３内へ給水する給水用配管２０および洗浄槽３内の水を機外へ排水する為の排水用配管２１を空間部１９まで導いている。施工時に食器洗い機本体２２をキッチン９側へ挿入する際、キッチン９側に事前に配管された給水管２３および排水管２４は、後方開口部１９ｂより空間部１９へ引き込まれ、給水用配管２０および排水用配管２１とそれぞれ接続される。接続作業は前方開口部１９ａよりおこなわれ、給水用配管接続部２０ａおよび排水用配管接続部２１ａの位置にて接続されている。
【００２３】
支持台１８の底部には水溜部２５および溢水検知スイッチ（溢水検知手段）２６を設けており、外箱１７の底部と水溜部２５とは溢水経路２７にて連通している。また、支持台１８の空間部１９には、収納スペースを設けるための引き出し２８を設置している。他の構成は従来例と同じである。
【００２４】
上記構成において作用を説明すると、支持台１８を外箱１７と一体構成とし、支持台１８により外箱１７を支持した状態でキッチン９に設置したとき、所定の高さになるように支持台１８の高さを設定することで、キッチン９に設置する際に、別部材として食器洗い機本体２２を支持するキャビネット等を必要とせず、設置性を向上できるとともに、下方に引き出し２８等の収納スペースを設けることができるため、より簡単な構成で、廉価にすることができる。
【００２５】
また、予め給水用配管２０および排水用配管２１を支持台１８の空間部１９まで導いているため、食器洗い機本体２２をキッチン９内へ挿入するとき、外箱１７と支持台１８はボルトナット１８ａで締結されているため、支持台１８も同時に挿入されることから、給水用配管２０および排水用配管２１と周囲のキャビネットとの接触によって生じるねじれや折れを確実に防止することができ、より信頼性の高い設置を行うことができる。
【００２６】
また、支持台１８の底部に水溜部２５および溢水検知スイッチ２６を設け、外箱１７の底部と水溜部２５とを溢水経路２７にて連通することで、給水用配管接続部２０ａおよび排水用配管接続部２１ａでの水漏れは水溜部２５に回収でき、また、洗浄槽３からの水漏れは溢水経路２７を介して水溜部２５に回収できるため、どちらの場合も溢水検知スイッチ２６にて検知することができ、水漏れによるキッチン９への被害を防止することができる。
【００２７】
なお、本実施例では、外箱１７と支持台１８の固定は、ボルトナット１８ａの締結で行ったが、リベット締め等、他の手段にて固定しても効果は同等である。
【００２８】
（実施例２）
図２に示すように、外箱２９は前方に開口部を有するとともに、レール２を介して、上方が開口した洗浄槽３を前後方向に移動可能に支持している。この外箱２９の高さは、キッチン９に設置したとき、所定の高さになるように設定し、下方には内部に空間部１９を設けるとともに、前方開口部１９ａおよび後方開口部１９ｂを有している。
【００２９】
外箱２９の底部には水溜部３０および溢水検知スイッチ（溢水検知手段）２６を設けており、収納スペースを設けるための引き出し３１を設置している。他の構成は上記実施例１と同じであり、同一符号を付して説明を省略する。
【００３０】
上記構成において作用を説明すると、外箱２９の下方に一体で空間部１９を設け、外箱２９の高さをキッチン９に設置したとき、所定の高さになるように設定することで、キッチン９に設置する際に、別部材として食器洗い機本体３２を支持するキャビネット等を必要とせず、設置性を向上できるとともに、下方に引き出し３１等の収納スペースを設けることができるため、より簡単な構成で、廉価にすることができる。
【００３１】
また、給水用配管２０および排水用配管２１を空間部１９まで導いているため、食器洗い機本体３２をキッチン９内へ挿入するとき、給水用配管２０および排水用配管２１も同時に挿入されることから、給水用配管２０および排水用配管２１と周囲のキャビネットとの接触によって生じるねじれや折れを確実に防止することができ、より信頼性の高い設置を行うことができる。
【００３２】
また、外箱２９の底部に水溜部３０および溢水検知スイッチ２６を設けることで、給水用配管接続部２０ａおよび排水用配管接続部２１ａでの水漏れは水溜部３０に回収でき、また、洗浄槽３からの水漏れも水溜部３０に回収できるため、どちらの場合も溢水検知スイッチ２６にて検知することができ、水漏れによるキッチン９への被害を防止することができる。
【００３３】
【発明の効果】
以上のように本発明の請求項１に記載の発明によれば、上方に開口部を有し食器類を収容する洗浄槽と、この洗浄槽を前後方向へ移動可能に支持する外箱と、上方に前記外箱を固定し支持する支持台とを備え、前記支持台の内部に空間部を設けたから、支持台により外箱を支持した状態でキッチンに設置したとき、所定の高さになるように支持台の高さを設定することで、キッチンに設置する際に、別部材として食器洗い機本体を支持するキャビネットを必要とせず、設置性を向上できるとともに、洗浄槽の下方に収納スペースを備えた空間部を設けることができるため、より簡単な構成で、廉価にすることができる。
【００３４】
また、請求項２に記載の発明によれば、洗浄槽内へ給水する給水用配管を給水管に接続する給水用配管接続部と、洗浄槽内の水を排水する排水用配管を排水管に接続する排水用配管接続部とを備え、前記給水用配管接続部と排水用配管接続部のうち少なくとも一方を空間部内に配したから、給水用配管と給水管との接続と排水用配管と排水管との接続の少なくとも一方を空間部内でできるため、食器洗い機本体をキッチン内へ挿入するとき、給水用配管や排水用配管のねじれや折れを防止することができ、より信頼性の高い設置を行うことができる。
【００３５】
また、請求項３に記載の発明によれば、空間部内に溢水検知手段を設け、かつ外箱と空間部とを連通したから、洗浄槽からの水漏れだけでなく、給水用配管接続部または排水用配管接続部で水漏れが起こった場合にも検知することができ、水漏れによるキッチンへの被害を防止することができる。
【００３６】
また、請求項４に記載の発明によれば、上方に開口部を有し食器類を収容する洗浄槽と、この洗浄槽を前後方向へ移動可能に支持する外箱とを備え、前記外箱内の前記洗浄槽の下方に空間部を設けたから、外箱の高さをキッチンに設置したとき、所定の高さになるように設定することで、キッチンに設置する際に、別部材として食器洗い機本体を支持するキャビネットを必要とせず、設置性を向上できるとともに、洗浄槽の下方に収納スペースを備えた空間部を設けることができるため、より簡単な構成で、廉価にすることができる。
【００３７】
また、請求項５に記載の発明によれば、洗浄槽内へ給水する給水用配管を給水管に接続する給水用配管接続部と、洗浄槽内の水を排水する排水用配管を排水管に接続する排水用配管接続部とを備え、前記給水用配管接続部と排水用配管接続部のうち少なくとも一方を空間部内に配したから、給水用配管と給水管との接続と排水用配管と排水管との接続の少なくとも一方を空間部内でできるため、食器洗い機本体をキッチン内へ挿入するとき、給水用配管や排水用配管のねじれや折れを防止することができ、より信頼性の高い設置を行うことができる。
【００３８】
また、請求項６に記載の発明によれば、空間部内に溢水検知手段を設けたから、洗浄槽からの水漏れだけでなく、給水用配管接続部または排水用配管接続部で水漏れが起こった場合にも検知することができ、水漏れによるキッチンへの被害を防止することができる。
【００３９】
また、請求項７に記載の発明によれば、空間部内に収納スペースを設けたから、別部材としてキャビネットを必要とせずに空間部に収納スペースを設けることができるため、より簡単な構成で、廉価にすることができる。
【図面の簡単な説明】
【図１】
本発明の第１の実施例の食器洗い機の縦断面図
【図２】
本発明の第２の実施例の食器洗い機の縦断面図
【図３】
従来の食器洗い機の縦断面図
【符号の説明】
３  洗浄槽
５  食器類
１７  外箱
１８  支持台
１９  空間部